(57)【要約】【課題】単純な構成で安定的に電力を供給する。【解決手段】デジタルカメラ１０の装置本体の動作時には、二次電池９２から装置本体へ電気エネルギーの供給がなされ、デジタルカメラ１０の装置本体の動作停止時には、二次電池９２から装置本体への電気エネルギーの供給が停止されるとともに、燃料電池９４から二次電池９２へ充電処理を実行することができる。このため、効率良く二次電池を充電することができるとともに、単純な構成で安定的に電力を供給することができる。【選択図】  図２
2005004997.tif 000002
【特許請求の範囲】
【請求項１】
入力された信号により供給された燃料を化学反応させて電気エネルギーを発生する燃料電池と、
前記燃料電池により発生された電気エネルギーを充電する充電状態と、充電された電気エネルギーを前記装置本体へ供給する供給状態との何れかの状態に移行する二次電池と、
前記装置本体の動作停止状態を検出する検出手段と、
前記検出手段により前記装置本体の動作停止状態が検出された場合に、前記二次電池を充電するように前記燃料電池へ発電指示を表す発電信号を出力する制御手段と、
を備えたことを特徴とする携帯装置。
【請求項２】
前記二次電池の残量を検知する残量検知手段を更に備え、前記制御手段は、前記残量検知手段により前記二次電池の残量値が所定値以上である場合に、前記発電信号の出力を停止することを特徴とする請求項１に記載の携帯装置。
【請求項３】
前記二次電池の充電回数を検知する充電回数検知手段を更に備え、前記制御手段は、前記充電回数検知手段により所定値以上の充電回数が検出された場合、前記発電信号の出力を停止することを特徴とする請求項１または請求項２に記載の携帯装置。
【請求項４】
電気エネルギーを装置本体へ供給すると共に、前記装置本体の動作状態を表す動作状態信号を入力する入出力手段と、
入力された信号により供給された燃料を化学反応させて電気エネルギーを発生する燃料電池と、
前記燃料電池により発生された電気エネルギーを充電する充電状態と、充電された電気エネルギーを前記入出力手段を介して前記装置本体へ供給する供給状態との何れかの状態に移行する二次電池と、
前記入力された動作状態信号により、前記装置本体の動作停止状態を検出する検出手段と、
前記検出手段により前記装置本体の動作停止状態が検出された場合に、前記二次電池を充電するように前記燃料電池へ発電指示を表す発電信号を出力する制御手段と、
を備えたことを特徴とする携帯装置。
【発明の詳細な説明】
【０００１】
【発明の属する技術分野】
本発明は、携帯装置に係り、特に、燃料電池と二次電池とを備えたデジタルカメラ等の携帯装置に関する。
【０００２】
【従来の技術】
従来より、携帯装置として、デジタルカメラや携帯電話等が知られている。例えば、デジタルカメラは、ストロボやズームモータ等のように周期的または継続的に電流を必要とする部品が設けられている場合がある。この携帯装置の電源として燃料電池を用いることが考えられている。
【０００３】
この燃料電池は、メタノール水や水素等の燃料を化学反応させて電気エネルギーを発生するものであり、その燃料電池を装置に搭載する技術が知られている。
（例えば、特許文献１参照）。
【０００４】
特許文献１には、外部負荷へ電力を供給するための燃料電池を備えた電力供給装置が示されている。この電力供給装置は、燃料電池へ水素ガス及び空気を供給する燃料電池補器、及び燃料電池補器へ電力を供給する二次電池を備えており、起動時に、二次電池から燃料電池補器へ電力を供給し燃料電池を起動して、その燃料電池から外部負荷へ電力を供給する。
【０００５】
上記燃料電池は、効率的な利用が好ましく、負荷状態に応じて燃料電池と二次電池の電力供給経路を切り替える技術が知られている（例えば、特許文献２、及び特許文献３参照）。
【０００６】
特許文献２の技術では、装置本体に対して燃料電池から電力を供給するが、装置本体の負荷状態（負荷一定、または負荷変動）により、燃料電池から電力を供給する先を、外部負荷、二次電池、及び補器の何れかに切り替えることで、効率よく燃料電池から装置本体へ電力を供給することができる。
【０００７】
また、特許文献３の技術では、装置本体に対して電力を供給するものとして、燃料電池と二次電池とを、装置本体の負荷状態（負荷一定時または供給電力不足）により切り替えている。
【０００８】
【特許文献１】
特開平８−２１３０３２号公報（第２頁、第１図）
【特許文献２】
特開２０００―１７３６３６（第３頁―４頁、第１図）
【特許文献３】
特開２００２−３１５２２４（第３頁、第１図）
【０００９】
【発明が解決しようとする課題】
しかしながら、燃料電池は、装置本体の急激な負荷変動に対して大まかな電力変動を有する電力供給を安定的にすることができない場合があり、燃料電池から装置本体へ電力を供給するのみでは、装置本体の急激な負荷変動に対応することが出来ない場合がある。また、負荷状態に応じて燃料電池から装置本体への電力の供給と、二次電池から装置本体への電力の供給とを切り替える場合、負荷状態による切替制御が複雑になる。
【００１０】
本発明は上記事実を考慮したものであり、単純な構成で安定的に電力を供給することができる携帯装置を提供することを目的とする。
【００１１】
【課題を解決するための手段】
上記目的を達成するために本発明の携帯装置は、入力された信号により供給された燃料を化学反応させて電気エネルギーを発生する燃料電池と、前記燃料電池により発生された電気エネルギーを充電する充電状態と、充電された電気エネルギーを前記装置本体へ供給する供給状態との何れかの状態に移行する二次電池と、前記装置本体の動作停止状態を検出する検出手段と、前記検出手段により前記装置本体の動作停止状態が検出された場合に、前記二次電池を充電するように前記燃料電池へ発電指示を表す発電信号を出力する制御手段と、を備えることを特徴としている。
【００１２】
本発明の携帯装置は、供給された燃料を化学反応させて電気エネルギーを発生する燃料電池を備えている。この燃料電池の化学反応は、入力された信号によって生じ、化学反応によって発生した電気エネルギーは、二次電池へ供給される。二次電池は、燃料電池から供給された電気エネルギーを充電する充電状態と、充電された電気エネルギーを装置本体へ供給する供給状態との何れかの状態に移行する。装置本体の動作時には、二次電池は供給状態にあり、二次電池から装置本体へ電気エネルギーが供給される。この供給された電気エネルギーによって装置本体、すなわち本発明の携帯装置が動作する。
【００１３】
検出手段によって装置の動作停止が検出されると、制御手段は、二次電池を充電状態とするように発電指示を表す発電信号を前記燃料電池へ出力する。燃料電池は、発電信号が入力されると電気エネルギーを発生し、発生した電気エネルギーは、二次電池へ供給される。
【００１４】
このように、装置本体の動作時に、二次電池に充電された電気エネルギーを装置本体へ供給し、装置本体の動作停止時に、燃料電池により発生された電気エネルギーを二次電池へ充電するため、効率良く二次電池を充電することができるとともに、単純な構成で安定的に電気エネルギーを供給することができる。
【００１５】
本発明の携帯装置は、前記二次電池の残量を検知する残量検知手段を更に備え、前記制御手段は、前記残量検知手段により前記二次電池の残量値が所定値以上である場合に、前記発電信号の出力を停止することができる。
【００１６】
装置本体の動作停止時に二次電池を充電することにより、効率よく二次電池を充電することができるが、二次電池が満充電状態または満充電状態に近い状態にある場合には、二次電池の充電を行う必要性は低い。そこで、残量検知手段による二次電池の残量値が予め定めた満充電状態を表す所定値以上である場合、制御手段は、携帯装置が動作停止状態であっても、燃料電池への発電信号の出力を停止することができるので、携帯装置が動作停止状態であると共に、二次電池の残量値が所定値より少ない場合に二次電池の充電処理を行うことができ、効率よく二次電池を充電することができる。
【００１７】
本発明の携帯装置は、前記二次電池の充電回数を検知する充電回数検知手段を更に備え、前記制御手段は、前記充電回数検知手段により所定値以上の充電回数が検出された場合、前記発電信号の出力を停止することができる。
【００１８】
二次電池は、繰り返し充放電が繰り返されることによって、性能が劣化する恐れがある。そこで、予め二次電池の電池性能が劣化する充放電の回数を所定値として定め、充電回数回数検知手段によって所定値以上の充電回数が検出されると、制御手段は、発電信号の出力を停止することができるので、性能劣化の生じた可能性の高い二次電池への充電処理を停止することができる。
【００１９】
本発明の携帯装置は、電気エネルギーを装置本体へ供給すると共に、前記装置本体の動作状態を表す動作状態信号を入力する入出力手段と、入力された信号により供給された燃料を化学反応させて電気エネルギーを発生する燃料電池と、前記燃料電池により発生された電気エネルギーを充電する充電状態と、充電された電気エネルギーを前記入出力手段を介して前記装置本体へ供給する供給状態との何れかの状態に移行する二次電池と、前記入力された動作状態信号により、前記装置本体の動作停止状態を検出する検出手段と、前記検出手段により前記装置本体の動作停止状態が検出された場合に、前記二次電池を充電するように前記燃料電池へ発電指示を表す発電信号を出力する制御手段と、を備えることを特徴としている。
【００２０】
本発明の携帯装置は、供給された燃料を化学反応させて電気エネルギーを発生する燃料電池を備えている。この燃料電池の化学反応は、入力された信号によって生じ、化学反応によって発生した電気エネルギーは、二次電池へ供給される。二次電池は、燃料電池から供給された電気エネルギーを充電する充電状態と、充電された電気エネルギーを装置本体へ供給する供給状態との何れかの状態に移行する。二次電池に充電された電気エネルギーは、入出力手段を介して装置本体へ供給される。この供給された電気エネルギーによって装置本体は動作する。
【００２１】
入出力手段は、電気エネルギーを装置本体へ供給するとともに、装置本体の動作状態を表す動作状態信号を入力する。入出力手段によって装置本体の動作状態を表す動作状態信号が入力されると、検出手段は、入力された動作状態信号によって、装置の動作停止状態を検出する。装置の動作停止が検出されると、制御手段は、二次電池を充電状態とするように発電指示を表す発電信号を前記燃料電池へ出力する。燃料電池は、発電信号が入力されると電気エネルギーを発生し、発生した電気エネルギーは、二次電池へ供給される。
【００２２】
このように、装置本体の動作時には、入出力手段を介して二次電池に充電された電気エネルギーを装置本体へ供給し、装置本体の動作停止時には、燃料電池により発生された電気エネルギーを二次電池へ充電するため、効率良く二次電池を充電することができる。また、入出力手段を介して電気エネルギー及び動作状態信号を入出力可能な装置本体へ、携帯装置から長時間安定的に電気エネルギーを供給することができる。
【００２３】
【発明の実施の形態】
本発明の携帯装置に係るデジタルカメラの一の実施の形態を図面に基づき説明する。
【００２４】
図１（Ａ）に示すように、デジタルカメラ１０の本体１２の正面側には、レンズ１４、撮影範囲等を目視で確認するためのファインダ１６、低照度での撮影等の場合に照明光を発するためのフラッシュ装置１８が取付けられている。また、本体１２の側面には、スマートメディアなどのメモリーカードとしての画像蓄積メモリ２０を装填可能なスロット２２が設けられており、本体１２の上面には、モードダイヤル２４、及び電源スイッチ２６が設けられ、モードダイヤル２４の中央部がシャッタボタン２８となっている。また、本体１２の底面には、収容口３２が設けられている。収容口３２は、デジタルカメラ１０に電気エネルギー（電力）を供給するための二次電池及び二次電池を充電するための燃料電池を含んで構成される電力供給部３０を収容するためのものである。
【００２５】
モードダイヤル２４は、デジタルカメラの撮影モードを選択するダイヤルであり、例えば、オート撮影モード、マクロ撮影モード、風景撮影モード、スポーツ撮影モード、夜景撮影モード等の中から、撮影者は被写体の撮影状況に適した撮影モードを選択することができる。また、シャッタボタン２８は、半押しでＡＦロック、全押しで撮像処理されるように構成されている。
【００２６】
また、図１（Ｂ）に示すように、本体１２の背面には、ＬＣＤ３４が設けられている。ＬＣＤ３４の近傍には、スピーカ３８、十字ボタン４０、及びメニュー実行ボタン４２等の各種選択ボタンが設けられている。なお、上記十字ボタン４０、メニュー実行ボタン４２、電源スイッチ２６、モードダイヤル２４、及びシャッタボタン２８は、本実施の形態では、スイッチ３６として機能する。
【００２７】
ＬＣＤ３４は、複数の縮小画像を並べて表示（以下、サムネイル表示と称す。）したり、各種機能選択画面を表示するためのものである。十字ボタン４０は、ＬＣＤ３４が各種項目を選択する画面を表示しているときに表示されたボタンを選択したり、カーソルを動かすためのボタンである。また、スピーカ３８は音声データを出力するためのものである。メニュー実行ボタン４２は、ＬＣＤ３４に表示された画面で十字ボタン４０で選択された項目の実行指示を出すボタンである。
【００２８】
図２には、本実施の形態に係るデジタルカメラ１０の主要構成をブロック図として示した。
【００２９】
デジタルカメラ１０は、ＣＣＤ（Ｃｈａｒｇｅ  Ｃｏｕｐｌｅｄ  Ｄｅｖｉｃｅ）５０を備えている。ＣＣＤ５０は、レンズ１４により得られる被写体からの反射光を撮影画像を示すアナログ画像データ（以下、画像データという）に変換して出力するためのものである。また、デジタルカメラ１０は、ＣＤＳ（Ｃｏｒｒｅｌａｔｅｄ  Ｄｏｕｂｌｅ  Ｓａｍｐｌｉｎｇ）５２、アナログ／デジタル変換器（以下、Ａ／Ｄ変換器という）５４、タイミングジェネレータ（以下、ＴＧという）５６、モータドライバ５８、主制御部６０、及び電力供給部３０を備えている。
【００３０】
ＣＤＳ５２は、ＣＣＤ５０から出力された被写体像を示す出力信号を相関二重サンプリング処理すると共に、Ｒ、Ｇ、Ｂの各色信号に色分解処理して、各色信号の信号レベルの調整を行うためのものである。Ａ／Ｄ変換器５４は、ＣＤＳ５２により処理されたアナログ信号をデジタル信号に変換し主制御部６０へ出力するためのものである。ＴＧ５６は、ＣＣＤ５０を駆動するためのタイミング信号を生成するためのものである。モータドライバ５８は、レンズ１４に含まれる撮影倍率を変更するためのズームモータ、ＣＣＤ５０面上に被写体像を合焦させるためのＡＦ（Ａｕｔｏ  Ｆｏｃｕｓ）モータ、及び絞りやシャッタを駆動するためのアイリスシャッタモータ等の各種モータを駆動するためのものである。
【００３１】
ＣＣＤ５０から出力された被写体像を示すアナログ画像信号は、ＣＤＳ５２による処理が施され、Ａ／Ｄ変換器５４によりデジタル画像信号に変換された後、画像データとして、画像入力制御部６２を介して主制御部６０内に入力される。
【００３２】
主制御部６０は、デジタルカメラ１０の全体的な動作を司るためのものであって、ＣＰＵ８２、ＥＥＲＯＭ８０、及びＲＡＭ６６からなるマイクロコンピュータを含んで構成される。これらのＣＰＵ８２、ＥＥＲＯＭ８０、及びＲＡＭ６６を含むデバイスは、データやコマンドの授受が可能なようにバス８４で接続されている。ＲＡＭ６６は、主としてワークメモリとして用いられ、ＥＥＰＲＯＭ８０は、各種プログラムやパラメータ等の情報を予め記憶するためのものである。
【００３３】
また、主制御部６０には、信号処理部６４、表示制御部６８、メディア制御部７２、及び圧縮伸長処理回路７０が設けられている、これらの信号処理部６４、表示制御部６８、メディア制御部７２、及び圧縮伸長処理回路７０は、バス８４に接続されており、バス８４を介してデータやコマンドの授受が可能な構成となっている。
【００３４】
信号処理部６４は、Ａ／Ｄ変換器５４から入力された画像データに対して所定のデジタル信号処理を行うものであって、ゲイン調整回路、ガンマ補正回路、及び輝度・色差信号処理回路（ＹＣ処理回路という）を含んで構成される。Ａ／Ｄ変換器５４から入力された画像データは、ゲイン調整回路で増幅処理された後、ガンマ補正回路においてガンマ補正処理が施され、ＹＣ処理回路において輝度（Ｙ信号）及び色差信号（Ｃｒ、Ｃｂ信号）に変換される所定のデジタル信号処理が行われてＲＡＭ６６に格納される。
【００３５】
メディア制御部７２は、メモリカード等の記録メディア２０に対して画像データを含む各種データを読み書きするためのものである。記録メディア２０は、スロット２２に装填されることによってメディア制御部７２に接続され、データの授受が可能となる。圧縮伸長処理回路７０は、画像データを圧縮・伸長するためのものである。ＲＡＭ６６に格納された画像データは、圧縮伸長処理回路７０でＪＰＥＧなどの所定の圧縮方式で圧縮された後、メディア制御部７２を介して、記録メディア２０に記録される。なお、画像データの圧縮は必須ではなく、圧縮伸長処理回路７０による圧縮処理は省略することが可能である。
【００３６】
表示制御部６８は、ＲＡＭ６６に格納及び記録メディア２０に記録された画像データの画像をＬＣＤ２４に表示する。また、ＣＰＵ８２には、Ｉ／Ｏ４４を介してスイッチ３６が接続されている。スイッチ３６は、各種指示入力による信号を入力するためのものである。また、ＣＰＵ８２には、音声を出力するためのスピーカ３８が接続されている。
【００３７】
また、ＣＰＵ８２には、デジタルカメラ１０の各部に対して電力を供給するための電力供給部３０が接続されている。電力供給部は、電源供給制御部９０、二次電池９２、燃料電池９４、動作状態検出部９６、充電状態検知部９７、及び充電サイクルカウンタ９８を含んで構成されている。動作状態検出部９６は、デジタルカメラ１０の上記各部（以下、装置本体という）の動作状態を検出するためのものである。電源供給制御部９０は、詳細を後述する燃料電池９４の発電の開始及び停止を制御するためのものである。二次電池９２は、装置本体に対して電気エネルギーを供給するためのものである。燃料電池９４は、二次電池９２を充電するためのものであり、図示を省略した二次電池充電回路を介して二次電池９２に接続されている。
【００３８】
燃料電池９４は、例えば、固体高分子形の燃料電池であって、メタノール水を燃料電池に直接供給するメタノール直接型燃料電池（ＤＭＦＣ）が用いられる。このような燃料電池９４は、図３に示すように、アノード９５とカソード９３との間にプロトン伝導膜９９が挟まれた構成となっている。そして、アノード９５からメタノール水（ＣＨ３ＯＨ＋Ｈ２Ｏ）が供給され、カソード９３から酸素（Ｏ２）が供給されることにより、プロトン伝導に伴って化学反応が生じ、メタノールが連続的に酸化されて起電力ｅが生じると共に、二酸化炭素（ＣＯ２）と水（Ｈ２Ｏ）が排出される。この起電力ｅにより負荷９１に電力を供給することができる。電源供給制御部９０は、燃料電池９４のメタノール水（ＣＨ３ＯＨ＋Ｈ２Ｏ）及び酸素（Ｏ２）の供給を制御することによって、燃料電池９４の電気エネルギー発生（発電）の開始及び停止を制御する。
【００３９】
燃料電池９４で発電された電気エネルギーは、図示を省略した二次電池充電回路を介して二次電池９２へ供給される。このため、二次電池９２は、燃料電池９４の電気エネルギーによって充電される。
【００４０】
充電サイクルカウンタ９８は、二次電池９２の充電サイクル数をカウントするためのものである。充電サイクル数とは、二次電池９２の充放電の回数を示すものである。本実施の形態では、充電サイクルのサイクル寿命として５００サイクルを予め記憶する。このため、本実施の形態では、充電サイクルカウンタ９８は、燃料電池９４から二次電池９２への充電処理及び二次電池９４から装置本体への電気エネルギーの供給処理を１サイクルとしてカウントし、この充電サイクル数が５００サイクルとなると、サイクル寿命と判断する。
【００４１】
なお、本実施の形態では、充電サイクルのサイクル寿命として５００サイクルを予め規定する場合を説明するが、このサイクル数は、使用する二次電池の種類により異なり、５００サイクルに限定されるものではない。
【００４２】
充電状態検知部９７は、二次電池９２の満充電状態を検知するためのものである。例えば、二次電池としてリチウムイオン電池を使用する場合、満充電状態は、図４（Ａ）の充電時間と充電電流及び充電電圧の関係を表す線図に示される。図４（Ａ）に示すように、リチウムイオン電池の満充電状態は、充電電流が１００ｍＡ以下となると、満充電と判断することができる。また、二次電池としてニッケル水素電池を使用する場合、満充電状態は、図４（Ｂ）の充電時間と充電電流及び充電電圧の関係を表す線図によって示される。図４（Ｂ）に示すように、ニッケル水素電池の満充電状態は、充電時間あたりののニッケル水素電池の電圧が−ΔＶ以上となった場合に、満充電と判断することができる。このように、充電状態検知部９７は、二次電池の満受電状態を検知することができる。
【００４３】
なお、上記燃料電池９４は、本発明の携帯装置の燃料電池に相当し、二次電池９２は、本発明の二次電池に相当し、電源供給制御部９０は、制御手段に相当する。また、上記充電状態検知部９７は、本発明の残量検知手段に相当し、充電サイクルカウンタ９８は、充電回数検知手段に相当する。
【００４４】
次に、上記実施の形態に係るデジタルカメラ１０の作用を説明する。
【００４５】
図５には、ＣＰＵ８２で実行される処理ルーチンを示した。デジタルカメラ１０では、所定時間毎に図４に示す処理ルーチンが実行され、ステップ１００において、本体の電源がオフであるか否かを判断する。ステップ１００の判断は、動作状態検出部９６による、デジタルカメラ１０の装置本体の電源がオフであるか否かの検出結果を判別することによって判断することができる。ステップ１００で肯定され、本体の電源がオフであることが検出されると、ステップ１０２へ進む。
【００４６】
ステップ１０２では、二次電池のサイクル寿命であるか否かを判断する。ステップ１０２の判断は、充電サイクルカウンタ９８における、二次電池９２の燃料電池９４による充電サイクル数が所定回数以下であるか否かの検出結果を判別することによって判断可能である。ステップ１０２で肯定されると、ステップ１１２へ進み、スピーカ３８を介してサイクル寿命を示すアラーム音を出力する。
【００４７】
上記ステップ１０２で否定されると、ステップ１０４へ進み、二次電池９２が満充電状態であるか否かを判断する。ステップ１０４の判断は、充電状態検知部９７による二次電池９２の満充電状態を示す検知結果を判別することによって判断することができる。ステップ１０４で肯定されると、本ルーチンを終了する。
【００４８】
上記ステップ１０４で否定され、二次電池９２が満充電状態では無い場合には、ステップ１０６へ進み、二次電池充電処理が実行される。ステップ１０６の処理は、電源供給制御部９０を介して、燃料電池９４の電気エネルギー発生（発電）開始を示す信号を燃料電池９４へ出力するものである。これによって燃料電池９４において、メタノール水及び酸素が供給されて発電処理が開始され、発生した電気エネルギーが図示を省略した二次電池充電回路を介して二次電池９２へ供給されて、二次電池９２が充電される。
【００４９】
次にステップ１０８では、上記ステップ１０４の判断と同様に、二次電池９２が満充電状態であるか否かを判断し、肯定されるまで否定判断を繰り返す。
【００５０】
ステップ１０８で肯定されると、ステップ１１０において、二次電池９２への充電停止処理が実行される。ステップ１１０の処理は、電源供給制御部９０を介して、燃料電池９４の電気エネルギー発生（発電）停止を示す信号を燃料電池９４へ出力するものである。これによって燃料電池９４において、メタノール水及び酸素の供給が停止されることにより発電処理が停止され、燃料電池９４から二次電池９２への充電処理が停止される。
【００５１】
一方、上記ステップ１００で否定され、デジタルカメラ１０の装置本体の電源がオンであることが検知されると、ステップ１１４へ進み、上記ステップ１１０と同様に、燃料電池９４から二次電池９２への充電停止処理が実行される。次にステップ１１６において、二次電池９２からデジタルカメラ１０の装置本体へ、充電された電気エネルギーを供給する電源供給開始処理が実行された後に、本ルーチンを終了する。
【００５２】
以上説明したように、本実施の形態のデジタルカメラ１０によれば、デジタルカメラ１０の装置本体の電源がオンである場合には、二次電池９２から装置本体へ電気エネルギーの供給がなされ、デジタルカメラ１０の装置本体の電源がオフである場合には、二次電池９２から装置本体への電気エネルギーの供給が停止されるとともに、燃料電池９４から二次電池９２へ充電処理を実行することができる。このため、効率良く二次電池を充電することができるとともに、単純な構成で安定的に電力を供給することができる。
【００５３】
また、二次電池９２のサイクル寿命ではない場合にのみ、充電処理を実行することができるので、効率良く二次電池を充電することが可能となる。また、二次電池９２の満充電状態を検知し、満充電状態では無い場合にのみ、燃料電池９４からの充電処理を実行することができるので、効率良い充電処理を実行することができる。
【００５４】
更に、二次電池９２のサイクル寿命を検知した場合、アラーム音を出力することができるので、ユーザに対して二次電池９２の交換を促すことができる。
【００５５】
なお、以上説明したデジタルカメラ１０の電力供給部３０を、電池パック２００として、デジタルカメラ１０の本体１２に対して着脱可能に設けることも可能である。
【００５６】
具体的には、図６に示すように、電池パック２００は、図示を省略したマイクロコンピュータを含んで構成されており、動作状態検出部２０２、充電サイクルカウンタ２０４、外部供給部２０６、制御部２０８、スピーカ２１０、二次電池２１２、及び燃料電池２１４を備えている。これらの動作状態検出部２０２、充電サイクルカウンタ２０４、外部供給部２０６、スピーカ２１０、二次電池２１２、及び燃料電池２１４は、制御部２０８に接続されており、互いにデータやコマンドの授受が可能な構成となっている。
【００５７】
このような電池パック２００は、デジタルカメラ１０に着脱可能に設けられており、収容口３２（図１参照）を介してデジタルカメラ１０の本体１２に装着されることによって、外部供給部２０６を介して電気エネルギーをデジタルカメラ１０の装置本体へ供給可能となる。動作状態検出部２０２は、上記動作状態検出部９６と略同様に、デジタルカメラ１０の装置本体の動作状態を検出するためのものである。制御部２０８は、デジタルカメラ１０の装置本体への電源の供給を制御するための機能部である。二次電池２１２は、上記二次電池９２と同様に、外部供給部２０６を介してデジタルカメラ１０の装置本体に電気エネルギーを供給するためのものである。燃料電池２１４は、二次電池２１２を充電するためのものである。燃料電池２１４の詳細については、上記燃料電池９４と同様の構成であるため、説明を省略する。なお、図示は省略するが、燃料電池９４には、燃料（メタノール水）を供給するための供給口、酸素を外部から取込むための取込口、上記燃料を貯蔵するとともに、アノード９５へ供給可能な燃料タンク、及び反応によって生じた水及び二酸化炭素を外部へ排出するための排出口を備えている。
【００５８】
また、制御部２１０には、スピーカ２１０が接続されている。スピーカ２１０は、上記スピーカ３８と略同様に、音声データを出力するためのものである。
【００５９】
これらの動作状態検出部２０２、充電サイクルカウンタ２０４、外部供給部２０６、スピーカ２１０、二次電池２１２、及び燃料電池２１４は、デジタルカメラ１０の本体１２に装着されると、制御部２０８の制御によって、上記図５に示す処理ルーチンと同様の処理が実行される。
【００６０】
これによって、デジタルカメラ１０に対して、容易に電池パック２００を交換可能に設けることができるとともに、上記図２に説明したような電力供給部３０をデジタルカメラ１０に含めた構成と同様の効果を得ることができる。
【００６１】
なお、本実施の形態では、電力供給部３０及び電池パック２００は、デジタルカメラ１０に装着または、デジタルカメラ１０に着脱可能に設けるものとして説明したが、装着可能な装置は、デジタルカメラに限られるものではなく、例えば、携帯電話等の携帯装置に装着することも可能である。
【００６２】
【発明の効果】
以上説明したように、本発明の携帯装置によれば、装置本体の動作時には、二次電池から装置本体へ電気エネルギーを供給し、装置本体の動作停止が検出されると、燃料電池によって発生された電気エネルギーを二次電池へ充電することができるので、単純な構成で安定的に電力を供給することができる、という効果を有する。
【図面の簡単な説明】
【図１】本実施の形態に係るデジタルカメラの外観図の一例であり、（Ａ）は本発明の実施の形態に係るデジタルカメラの正面図であり、（Ｂ）は本発明の実施の形態に係るデジタルカメラの背面図である。
【図２】本実施の形態に係るデジタルカメラの主要構成を示すブロック図である。
【図３】電池パックの主要構成を示すブロック図である。
【図４】二次電池の満充電状態の検出を示す線図であり、（Ａ）は、リチウムイオン電池の満充電状態の検出を示す線図であり、（Ｂ）は、ニッケル水素電池の満充電状態の検出を示す線図である。
【図５】本実施の形態に係るデジタルカメラにおける処理の流れを示すフローチャートである。
【図６】本実施の形態に係る電池パックの主要構成を示すブロック図である。
【符号の説明】
１２  本体
１４  レンズ
１６  ファインダ
３０  電力供給部
９０  電源供給制御部
９２、２１２  二次電池
９４、２１４  燃料電池
９６、２０２  動作状態検出部
９７  充電状態検知部
９８、２０４  充電サイクルカウンタ
【図１】
2005004997.tif 000003
【図２】
2005004997.tif 000004
【図３】
2005004997.tif 000005
【図４】
2005004997.tif 000006
【図５】
2005004997.tif 000007
【図６】
2005004997.tif 000008